(57)【要約】      （修正有）【課題】風量の多い大口径の送風ダクトを採用した場合であっても、作業従事者の出入りや資材の搬入が容易なうえに、運搬や設置も容易であり、簡易な構造を採用して安価に製造ができる安全性と汎用性の高いマンホール送風ダクト装着装置を提供する。【解決手段】下方に突出してマンホールの開口部に篏合する円柱状の固定枠３を備えた下蓋体２と、下蓋体２の端部に設けた水平回動軸まわりに回動可能に接続されるとともに、送風ダクト６を取り付ける取付孔４を備えた上蓋体１とからなり、下蓋体２の上に上蓋体１を重置した状態で、上蓋体１が固定枠３の上面を閉塞するとともに、取付孔４が、上方から見て固定枠３の内側に収まるように設けるようにしたものである。【選択図】図３
2019090184.tif 000002
【特許請求の範囲】
【請求項１】
下方に突出してマンホールの開口部に篏合する円柱状の固定枠を備えた下蓋体と、前記下蓋体の端部に設けた水平回動軸まわりに回動可能に接続されるとともに、送風ダクトを取り付ける取付孔を備えた上蓋体とからなり、
前記下蓋体の上に前記上蓋体を重置した状態で、前記上蓋体が前記固定枠の上面を閉塞するとともに、前記取付孔が、上方から見て前記固定枠の内側に収まるように設けられていることを特徴とするマンホール送風ダクトの装着装置。
【請求項２】
前記上蓋体は、前記下蓋体の上に前記上蓋体を重置した状態で、下方から把持可能な取手部を備えているとともに、上方から見て、前記取手部が前記固定枠の内側に収まるように設けられていることを特徴とする請求項１に記載のマンホール送風ダクトの装着装置。
【請求項３】
前記上蓋体は、上蓋体を直立状態に維持する支持手段を備えていることを特徴とする請求項１または請求項２に記載のマンホール送風ダクトの装着装置。
【請求項４】
前記上蓋体と下蓋体は、着脱可能に接続されているとともに、前記下蓋体の上に前記上蓋体を重置した状態で上方から見て、前記取付孔の中心が前記固定枠の中心と一致するように設けられていることを特徴とする請求項１ないし請求項３のいずれかひとつに記載のマンホール送風ダクトの装着装置。
【請求項５】
前記上蓋体は、透光性のある素材で構成されていることを特徴とする請求項１ないし請求項４のいずれかひとつに記載のマンホール送風ダクトの装着装置。
【発明の詳細な説明】
【技術分野】
【０００１】
本発明は、下水道等の地下管路の清掃・点検・工事などの作業をするために設置されているマンホールから、管路内部に新鮮な空気を送風するための送風ダクトの装着装置に関するものである。
【背景技術】
【０００２】
下水道などの地下管路で作業をする場合には、作業従事者がマンホールの開口部より入孔し、タラップを降りて管路内部の所定の位置まで移動したうえで作業を行っている。その際、管路内部は硫化水素などの有毒ガスが発生していたり、酸素が欠乏していたりする危険性があるため、作業の安全性を確保するためには常に作業従事者の位置まで新鮮な空気を供給し続ける必要がある。
【０００３】
そこで従来より、蛇腹状の送風ダクトを取り付けたファン式の送風機を地上に設置し、マンホールの開口部から新鮮な空気を供給することが行われている。
【０００４】
例えば特許文献１には、マンホールの蓋を取り外した状態で、マンホールの開口部から送風ダクトの先端を管路内部に挿入し、新鮮な空気を供給する装置が記載されている。
【０００５】
この装置の場合は、送風ダクトとマンホール開口部には隙間あるため、送風ダクトの先端が浅い位置にあると、折角送風した新鮮な空気は管路内部の作業従事者まで到達できずに、マンホールの開口部から地上に漏れだしてしまうことになる。
【０００６】
そのため送風ダクトは、その先端が管路内部の作業従事者近傍に届くように、かなり深い位置まで延長しておく必要があり、管路内部という狭い空間においては送風ダクトが作業の邪魔になる場合もあった。
【０００７】
また例えば特許文献２には、開閉ドアを備えた換気用ボックスをマンホール上に設置してフレキシブル空気ダクトを接続した装置が記載されている。この装置の場合は、マンホールの開口部は閉塞されているために、マンホールを通じて新鮮な空気が供給されるため、地下部分の空気ダクトが不要となる。
【先行技術文献】
【特許文献】
【０００８】
【特許文献１】実開平５−８７２８８号公報
【特許文献２】特開２００３−３２８３７８号公報
【発明の概要】
【発明が解決しようとする課題】
【０００９】
前述のように、送風ダクトを使用して新鮮な空気を供給しようとした場合、管路内部に充分な量の空気を供給する必要があることから、少なくとも送風ダクトの直径は３０センチメートル程度のものを使用することが望ましい。
【００１０】
一方、マンホールには複数の規格が存在するのであるが、一般的な下水道用のマンホールは、その開口部の直径が６０センチメートルという規格を採用したものが大半である。
【００１１】
そこで特許文献１に記載の装置を使用する場合には、マンホールの蓋を取り外して直径３０センチメートルの送風ダクトを直径６０センチメートルの開口部に挿入することとなり、送風ダクトが開口部の直径の半分程度を占有する状態になってしまう。
【００１２】
この状態で作業従事者がマンホールに出入りしようとしたり、資材を搬入しようとしたりしても、マンホールの開口部を通過するためのスペースを確保することが困難なことから、送風機を一時的に停止したうえで、地上側から送風ダクトを一旦地上に引き抜くという煩雑な手間が必要となる。
【００１３】
こうした手間は、作業の効率を著しく低下させるうえに、空気の供給を一定時間停止するという危険性を伴うこととなる。さらには管路内部の作業従事者自身がマンホールの内部から送風ダクトを引き抜くことができないため、地震や火災の発生といった緊急時に、作業従事者が自力で脱出することができず安全管理上も問題が多い。
【００１４】
また引用文献２に記載の装置では、送風ダクトがマンホールの開口部を占有することは無いのであるが、換気用ボックスの運搬や設置に大がかりな作業を要するうえに、開閉ドアの通過が困難な大型資材を搬入しようとする場合には、換気用ボックスを一旦取り外すという煩雑な手間も要することになる。
【００１５】
さらには、換気用ボックスの製造はコストが相当高価なものとなるうえに、開口部の直径の異なるマンホールに対応するためには、サイズの異なる換気用ボックスを複数準備しておく必要があるなど、容易に採用できるものとはいえない。
【００１６】
そこで本発明は、前述のような送風ダクトを取り付けたファン式の送風機を使用する際の問題点を鑑みなされたものであり、その目的は、風量の多い大口径の送風ダクトを採用した場合であっても、作業従事者の出入りや資材の搬入が容易で操作性も高く、運搬や設置も容易で作業効率を高めることができ、また安価に製造できる簡易な構造を採用して汎用性にも富み、かつ安全性も高いマンホール送風ダクト装着装置を提供しようとするものである。
【課題を解決するための手段】
【００１７】
そして、本発明は上記目的を達成するために、マンホール送風ダクトの装着装置について、請求項１の装置では、下方に突出してマンホールの開口部に篏合する円柱状の固定枠を備えた下蓋体と、前記下蓋体の端部に設けた水平回動軸まわりに回動可能に接続されるとともに、送風ダクトを取り付ける取付孔を備えた上蓋体とからなり、前記下蓋体の上に前記上蓋体を重置した状態で、前記上蓋体が前記固定枠の上面を閉塞するとともに、前記取付孔が、上方から見て前記固定枠の内側に収まるように設けられていることを特徴としている。
【００１８】
また請求項２の装置では、前記上蓋体は、前記下蓋体の上に前記上蓋体を重置した状態で、下方から把持可能な取手部を備えているとともに、上方から見て、前記取手部が前記固定枠の内側に収まるように設けられていることを特徴としている。
【００１９】
この発明によれば、作業従事者が上蓋体の下方から取手部を把持することができるので、マンホール内部からでも上蓋体の開閉を容易に行うことができる。
【００２０】
また請求項３の装置では、前記上蓋体は、上蓋体を直立状態に維持する支持手段を備えていることを特徴としている。
【００２１】
この発明によれば、作業従事者がマンホールから出孔する際に、下方から上蓋体を持ち上げても、支持手段により上蓋体は直立状態に維持されるので、勢い余って上蓋体が送風ダクトを装着した側に倒れこんでしまうことがなく安全性が高い。また上蓋体を閉じる操作も小さい力で容易に行うことができるうえに、上蓋体が直立した状態で送風ダクトを着脱することができるなど操作性を向上させることもできる。
【００２２】
また請求項４の装置では、前記上蓋体と下蓋体は、着脱可能に接続されているとともに、前記下蓋体の上に前記上蓋体を重置した状態で上方から見て、前記取付孔の中心が前記固定枠の中心と一致するように設けられていることを特徴としている。
【００２３】
この発明によれば、上蓋体と下蓋体が着脱可能なため、上蓋体と下蓋体を各々独立して交換することができるようになり、汎用性を高めることができる。
【００２４】
また請求項５の装置では、前記上蓋体は、透光性のある素材で構成されていることを特徴としている。
【００２５】
この発明によれば、上蓋体を閉じ、下蓋体の上に上蓋体を重置した状態であっても、上蓋体を光が通過するためマンホール内部が明るくなり安全性が高い。
【発明の効果】
【００２６】
以上のように本発明のマンホール送風ダクトの装着装置を用いれば、マンホール開口部は閉塞されるので、送風ダクトから送風される新鮮な空気は、マンホールの開口部から地上に漏れることなくマンホール内部に供給され、管路内部の作業従事者へと確実に到達させることができる。
【００２７】
また、風量の多い大口径の送風ダクトを装着した場合であっても、管路内部に送風ダクトが無いので作業の邪魔にならず、作業従事者がマンホールに出入りしたり資材の搬入をする際にも、作業従事者が上蓋体を開閉する操作だけで済むため操作性が高く、作業効率が向上するうえに安全性も高い。
【００２８】
さらに、簡易な構造を採用しているため安価に製造することができ、装置の運搬や設置も容易で汎用性も高く、また透光性のある素材を採用すればマンホール内部が明るくなって安全性が一層高まるという優れた効果を発揮することができるのである。
【図面の簡単な説明】
【００２９】
【図１】本発明の実施形態を示すマンホール送風ダクト装着装置の側面図と上面図
【図２】上蓋体１を開いた状態でマンホールに設置している側面図
【図３】上蓋体１を閉じた状態でマンホールに設置している側面図
【図４】本発明の装置をマンホールに設置した場合の使用状態図
【図５】固定枠３と取付孔４の位置関係を示す上面図
【発明を実施するための最良の形態】
【００３０】
以下、本発明の実施の形態について説明すると、はじめに図１は、請求項１に記載の発明に対応するマンホール送風ダクト装着装置について、上蓋体１と下蓋体２を閉じた状態Ａと、上蓋体１と下蓋体２を１８０度開いた状態Ｂにおける各々の側面図及び上面図を並べて示している。
【００３１】
上蓋体１と下蓋体２はともに平板状で、外形の形状は図１のような四角形のほか円形その他任意の形状に形成することが可能であるが、このうち下蓋体２にはその中央部付近に、下端部が下蓋体２の下方に突出してマンホールの開口部に篏合する円柱状の固定枠３が備えられており、当該固定枠３の内側を作業従事者や資材が通過できるようになっている。
【００３２】
前記固定枠３は、下蓋体２と一体的に成型することが強度的には望ましいが、別体の部品として製造し、下蓋体２に取り付けるような構造にしてもよい。
【００３３】
また下蓋体２の端部には水平回動軸５が設けられ、上蓋体１は前記水平回動軸５まわりに回動する蝶番１０などの適宜の接続手段を介して下蓋体２に回動可能に接続されているため、図１に示すような、上蓋体１と下蓋体２を閉じて下蓋体２の上に前記上蓋体１を重置した状態Ａから、上蓋体１と下蓋体２を１８０度開いた状態Ｂまで、自由に動かすことができる。なお前記Ａの状態では、前記上蓋体１は前記固定枠３の上面を閉塞していることになる。
【００３４】
また上蓋体１については、その中央部近辺に送風ダクト６を取り付ける取付孔４が備えられており、図１のＡの状態に示すように、前記取付孔４の全体が上方から見て前記固定枠３の内側に収まるように設けられている。
【００３５】
そして本発明の装置をマンホールに設置するにあたっては、図２及び図３に示すように、下蓋体２の固定枠３をマンホールの開口部に篏合させるのであるが、一般的な下水道用のマンホールでは、その開口部の直径が６０センチメートルという規格を採用したものが大半であるので、その場合、固定枠３の外形寸法を６０センチメートルより僅かに小さく形成しておくと、固定枠３をマンホールの開口部の内側にスムーズに勘合させつつ、強固に固定することができる。
【００３６】
またマンホールの開口部の周縁には、マンホールの蓋を嵌め込む凹溝が形成されている場合が多いので、当該凹溝に勘合するように固定枠３の寸法を設定することも可能である
【００３７】
さらに、マンホールの開口部の形状が四角形状の場合であっても、円柱状の固定枠３の外形寸法を前記四角形の内接円より僅かに小さく形成すれば、固定枠３を開口部にしっかりと勘合させることが可能である。
【００３８】
また上蓋体１に備えられた取付孔４は、図１に示すものでは取付孔４の周縁を上蓋体１から突出させて、送風ダクト６の端部を取り付けられるようにしているが、使用する送風ダクト６の仕様に応じて適宜の接続構造を採用すればよい。なお一般的に送風機で使用するダクトの断面形状は円形なので、前記取付孔４は円形状とするのが最適である。
【００３９】
また上蓋体１は、上蓋体１を閉じ下蓋体２の上に上蓋体１を重置した状態で、下方から作業従事者が把持可能な取手部８を備えており、これは請求項２に記載の発明に対応するものである。
【００４０】
特に実施例では、上蓋体１の上方からも把持できるように考慮し、上蓋体１を貫通して上下の両面に突出するＵ字型のノブ状の取手部８を採用しているが、このほかにも上蓋体１や取付孔４の一部に小さな穴を設けるなどして、少なくとも下方から上蓋体１を把持できる構造を採用すればよい。
【００４１】
そして図３の状態で作業従事者がマンホール１２の内部から地上に上がる際には、下方から取手部８を把持すれば、自力で上蓋体１を持ち上げることができるほか、図２の状態で作業従事者が地上からマンホール１２に入孔する際にも、前記取手部８を把持して上蓋体１を閉めることができる。
【００４２】
なお特に、取手部８を取り付ける位置について、上蓋体１を閉める際に取手部８が邪魔にならず、かつ上蓋体１を閉めた状態で下方から取手部８を把持することができるようにするためには、図１のＡの状態に示すように、前記下蓋体２の上に前記上蓋体１を重置した状態で上方から見て、前記取手部８が前記固定枠３の内側に収まるように設けられていなければならない。
【００４３】
さらに上蓋体１は、上蓋体１を直立状態に維持する支持手段９を備えており、これは請求項３に記載の発明に対応するものである。
【００４４】
実施例で採用している支持手段９は、図１のＡの状態で、上蓋体１の上面から突出し、その先端部が水平回動軸５の上方に位置するように設けられたＵ字状の部材である。そして上蓋体１を直立状態まで回動させると、図２に示すように、前記Ｕ字状の部材の先端部が地面に接地し、上蓋体１は安定した直立状態を維持できるようになっている。またこの構造を採用すると、図３に示すように、上蓋体１を閉じた際に前記Ｕ字状の部材の先端部が前記送風ダクト６を持ち上げるので、送風ダクト６の屈曲を緩やかにして破損を防止する機能も発揮することができる。
【００４５】
なお前記Ｕ字状の部材以外にも、最大開き角度が９０度程度に規制された蝶番を使用して上蓋体１と下蓋体２を接続すれば、上蓋体１を直立状態に維持する支持手段９とすることもできる。
【００４６】
さらに上蓋体１を下蓋体２に接続する手段として、ボルト・ナット等によって取り外しが可能な構造を採用すれば、上蓋体１と下蓋体２は着脱可能となる。これは請求項４に記載の発明に対応するものである。
【００４７】
上蓋体１と下蓋体２を着脱可能とすることで、上蓋体１と下蓋体２は独立して交換することができるようになるので、直径の異なる固定枠３を備えた複数の下蓋体２をあらかじめ準備しておけば、設置しようとするマンホールの開口部の直径に応じ、適合する下蓋体２に交換して使用することができ、また同様に、直径や形状の異なる取付孔４を備えた複数の上蓋体１をあらかじめ準備しておけば、必要に応じて仕様の異なる送風ダクト６に交換することも可能になり、装置の汎用性を高めることができる。
【００４８】
ここで図５は、直径や位置の異なる上蓋体１の取付孔４と下蓋体２の固定枠３とを組み合わせて、下蓋体１の上に上蓋体２を重置した場合の上方から見た位置関係を示しているが、図５のＡのように、取付孔４が下蓋体２の固定枠３の内側に収まる位置でありさえすれば、取付孔４の直径や位置にかかわらず正常に使用することができる。
【００４９】
しかしながら図５のＢに示すように、下蓋体２をより直径の小さい固定枠３を備えたものに交換した場合には、４−イや４−ハに示すように、組み合わせによっては、取付孔４が固定枠３の内側に収まりきれない場合が発生し、送風ダクト６の一部が塞がれて、充分な送気をすることができない事態となってしまう。
【００５０】
そこで上記のように上蓋体１と下蓋体２を交換できるようにする場合には、図５のＣに示すように、固定枠３と取付孔４の直径に関わらず、前記下蓋体２の上に前記上蓋体１を重置した状態で上方から見て、前記取付孔４の中心が前記固定枠３の中心と一致するように設計しておけば、取付孔４は常に固定枠３の内側に収まり、送風ダクトが塞がれることなく正常に使用することができるようになる。なおこの場合も、取手部８を設ける位置は、常に固定枠３の内側に収まるように設計しておく必要があるのは言うまでもない。
【００５１】
また上蓋体１と下蓋体２は１〜２センチメートル程度の厚みがあればよく、使用する素材としては、硬質ゴム・樹脂・ＦＲＰ・アルミなど一定の強度を有する素材が適しているが、特に上蓋体１に透光性のある素材を採用すると、請求項５に記載の発明に対応するものとなる。
【００５２】
マンホールには日光が差し込み難いため、マンホールや地下管路の内部は非常に暗く、管路内部での作業には照明器具の使用が必須となるが、本発明のマンホール送風ダクト装着装置は、マンホールの開口部を完全に閉塞してしまう構造であるため、上蓋体１を閉じてしまうと日光が上蓋体１に遮られてしまい、照明器具が無い状態では相当に暗くなってしまうおそれがある。
【００５３】
そこで、上蓋体１を透光性のある素材で構成すれば、上蓋体１を閉じた使用状態であっても上蓋体１を日光が通過し、マンホールや地下管路の内部を一定程度明るくすることができる。
【００５４】
なお、一定の強度を有するとともに透光性をも有する素材としては、一定の透光性がある硬質ゴムやＦＲＰのほか、強化ガラス・アクリル・ポリカーボネートといった無色透明の素材を採用すればより効果的である。
【００５５】
最後に本発明のマンホール送風ダクト装着装置を使用方法について簡単に説明すると、図４のＢに示すように、初めにマンホールの蓋を外して開口部に本発明の装置における下蓋体２の固定枠３を篏合させて装置を固定し、次いで上蓋体１を直立に維持した状態で、路面に設置した送風機７と上蓋体１の取付孔４とを送風ダクト６で繋ぐ。
【００５６】
そしてマンホールに入孔する前に、送風機７が作動していることを確認したうえで、マンホール内部に設けられているタラップ１１を降りながら上蓋体１の取手部８を把持するとともに、頭上で上蓋体１を回動させて下蓋体２の上に重置させる。この状態を図４のＡに示しているが、この状態では上蓋体１がマンホールの開口部を完全に閉塞しているため、送風ダクト６から供給される新鮮な空気はマンホールの開口部から漏れることなく、マンホールを通じ管路内部の作業従事者まで確実に到達させることができるようになる。
【００５７】
また作業従事者がマンホールから地上に上がる際も、タラップ１１を上りながら上蓋体１の取手部８を把持するとともに、頭上で上蓋体１を持ち上げて開けば、再度図４のＢの状態になり地上に立つことができる。そして以上のような一連の操作は作業従事者が単独で行うことができるのである。
【産業上の利用可能性】
【００５８】
以上のように本発明のマンホール送風ダクト装着装置は、送気が確実に管路内部にまで到達するので安全性が高く、また作業従事者が単独でマンホールに出入りすることができるため作業性も高く、また汎用性も高いので、下水道用のマンホールに使用するほかにも、通信用など様々な規格を有するマンホールに使用することができる。
【符号の説明】
【００５９】
１  上蓋体、２  下蓋体、３  固定枠、４  取付孔、  ５  水平回動軸、６  送風ダクト、７  送風機、８  取手部、９  支持手段、１０  蝶番、１１  タラップ、１２  マンホール
【図１】
2019090184.tif 000003
【図２】
2019090184.tif 000004
【図３】
2019090184.tif 000005
【図４】
2019090184.tif 000006
【図５】
2019090184.tif 000007